【手続補正書】
【提出日】平成16年9月17日(2004.9.17)
【手続補正１】
【補正対象書類名】明細書
【補正対象項目名】特許請求の範囲
【補正方法】変更
【補正の内容】
【特許請求の範囲】
【請求項１】
映像入力装置を通じて入力される映像を、任意の形状情報を有する対象物映像と背景映像に分離して符号化する映像情報符号化装置において、
入力される形状情報中対象物映像と背景映像との境界を含む境界ブロックを、境界ブロック合併技術によって合併する境界ブロック合併部と、
前記境界ブロック合併部により合併された境界ブロックを可変長符号化する可変長符号化部と、
前記可変長符号化部において合併された境界ブロックを可変長符号化する場合、使用する符号化テーブルを貯蔵する可変長符号化テーブル貯蔵部と
を含んで構成されることを特徴とする映像情報符号化装置。
【請求項２】
前記境界ブロック合併部は、多数個の境界ブロックを合併することを特徴とする請求項１記載映像情報符号化装置。
【請求項３】
前記境界ブロック合併部は、境界ブロックを成す多数個のサブブロックを合併することを特徴とする請求項１記載の映像情報符号化装置。
【請求項４】
前記境界ブロック合併部は、輝度ブロックを合併することを特徴とする請求項１記載の映像情報符号化装置。
【請求項５】
前記境界ブロック合併部は、色彩ブロックを合併することを特徴とする請求項１記載の映像情報符号化装置。
【請求項６】
前記境界ブロック合併部は、輝度ブロックを輝度ブロック同士で合併し、色彩ブロックを色彩ブロック同士で合併することを特徴とする請求項１記載の映像情報符号化装置。
【請求項７】
前記可変長符号化部は、境界ブロックを成す多数個のサブブロック中、対象物映像を含む物体ブロックの数に従って符号化ビット数が各々異なる可変長符号化テーブルを適用して符号化することを特徴とする請求項１記載の映像情報符号化装置。
【請求項８】
前記可変長符号化テーブル貯蔵部の可変長符号化テーブルは、境界ブロックを成す多数個のサブブロック中、対象物映像を含む物体ブロックの配列特性に従って構成することを特徴とする請求項１記載の映像情報符号化装置。
【請求項９】
前記物体ブロックの配列特性に伴う可変長符号化テーブルは、発生頻度が最も多い配列特性より、発生頻度が最も少ない配列特性順に、最も少ない数のビットより漸次多い数のビットを割り当てて構成することを特徴とする請求項８記載の映像情報符号化装置。
【請求項１０】
映像入力装置を通じて入力される映像を任意の形状情報を有する対象物映像と背景映像に分離して符号化する映像情報符号化装置において、
入力される形状情報中対象物映像と背景映像との境界を含む境界ブロックを、境界ブロック合併技術によって合併する境界ブロック合併部と、
前記境界ブロック合併部からの合併された境界ブロックに対する映像信号の入力を受け、離散余弦変換を遂行する離散余弦変換部と、
前記離散余弦変換部から出力される変換係数の入力を受け、量子化して出力する量子化部と、
前記量子化部からの量子化された映像信号を可変長符号化する可変長符号化部と、
前記可変長符号化部において合併された境界ブロックを可変長符号化する場合、適用する符号化テーブルを貯蔵する可変長符号化テーブル貯蔵部を含んで構成されることを特徴とする映像情報符号化装置。
【請求項１１】
前記可変長符号化部は、境界ブロックを成す多数個のサブブロック中、対象物映像を含む物体ブロックの数に従って符号化ビット数が各々異なって構成された可変長符号化テーブルを適用して符号化することを特徴とする請求項１０記載の映像情報符号化装置。
【請求項１２】
前記可変長符号化テーブル貯蔵部の可変長符号化テーブルは、境界ブロックを成す多数個のサブブロック中、対象物映像を含む物体ブロックの配列特性に従って構成することを特徴とする請求項１０記載の映像情報符号化装置。
【請求項１３】
前記物体ブロックの配列特性に従って可変長符号化テーブルは、発生頻度が最も多い配列特性より発生頻度が最も少ない配列特性順に、最も少ない数のビットより漸次多い数のビットを割り当てて構成することを特徴とする請求項１２記載の映像情報符号化装置。
【請求項１４】
前記可変長符号化テーブル貯蔵部の可変長符号化テーブルは、３種の輝度ブロックに対し記述し、（Ｎ×Ｎ）大きさの境界ブロックを（Ｎ／２×Ｎ／２）のサブブロックにて構成して、境界ブロック合併技術を遂行した結果、対象物映像を含む物体ブロックが４個であり、
前記輝度ブロックがイントラブロックであれば、前記物体ブロック各々を第１物体ブロック、第２物体ブロック、第３物体ブロック、第４物体ブロックとした後、前記各物体ブロックにおいてＤＣ成分以外の情報がある場合を“１”、ＤＣ成分以外の情報がない場合を“０”にて示し、その配列を左側より右側順序に第１物体ブロック乃至第４物体ブロックを順次配列して４ビットにて示す場合、
各物体ブロックの状態が“００００”であれば、可変長符号を４ビットである“００１１”とし、
各物体ブロックの状態が“０００１”であれば、可変長符号を５ビットである“００１０１”とし、
各物体ブロックの状態が“００１０”であれば、可変長符号を５ビットである“００１００”とし、
各物体ブロックの状態が“００１１”であれば、可変長符号を４ビットである“１００１”とし、
各物体ブロックの状態が“０１００”であれば、可変長符号を５ビットである“０００１１”とし、
各物体ブロックの状態が“０１０１”であれば、可変長符号を４ビットである“０１１１”とし、
各物体ブロックの状態が“０１１０”であれば、可変長符号を６ビットである“００００１０”とし、
各物体ブロックの状態が“０１１１”であれば、可変長符号を４ビットである“１０１１”とし、
各物体ブロックの状態が“１０００”であれば、可変長符号を５ビットである“０００１０”とし、
各物体ブロックの状態が“１００１”であれば、可変長符号を６ビットである“００００１１”とし、
各物体ブロックの状態が“１０１０”であれば、可変長符号を４ビットである“０１０１”とし、
各物体ブロックの状態が“１０１１”であれば、可変長符号を４ビットである“１０１０”とし、
各物体ブロックの状態が“１１００”であれば、可変長符号を４ビットである“０１００”とし、
各物体ブロックの状態が“１１０１”であれば、可変長符号を４ビットである“１０００”とし、
各物体ブロックの状態が“１１１０”であれば、可変長符号を４ビットである“０１１０”とし、
各物体ブロックの状態が“１１１１”であれば、可変長符号を２ビットである“１１”とし、
前記輝度ブロックがインターブロックまたはストライプブロックであれば、その物体ブロック各々を第１物体ブロック、第２物体ブロック、第３物体ブロック、第４物体ブロックとした後、前記各物体ブロックにおいてＤＣ成分以外の情報がある場合を“１”、ＤＣ成分以外の情報がない場合を“０”にて示し、その配列を左側より右側順序に第１物体ブロック乃至第４物体ブロックを順次配列して４ビットにて示す場合、
各物体ブロックの状態が“１１１１”であれば、可変長符号を４ビットである“００１１”とし、
各物体ブロックの状態が“１１１０”であれば、可変長符号を５ビットである“００１０１”とし、
各物体ブロックの状態が“１１０１”であれば、可変長符号を５ビットである“００１００”とし、
各物体ブロックの状態が“１１００”であれば、可変長符号を４ビットである“１００１”とし、
各物体ブロックの状熊が“１０１１”であれば、可変長符号を５ビットである“０００１１”とし、
各物体ブロックの状態が“１０１０”であれば、可変長符号を４ビットである“０１１１”とし、
各物体ブロックの状態が“１００１”であれば、可変長符号を６ビットである“００００１０”とし、
各物体ブロックの状態が“１０００”であれば、可変長符号を４ビットである“１０１１”とし、
各物体ブロックの状態が“０１１１”であれば、可変長符号を５ビットである“０００１０”とし、
各物体ブロックの状態が“０１１０”であれば、可変長符号を６ビットである“００００１１”とし、
各物体ブロックの状態が“０１０１”であれば、可変長符号を４ビットである“０１０１”とし、
各物体ブロックの状態が“０１００”であれば、可変長符号を４ビットである“１０１０”とし、
各物体ブロックの状態が“００１１”であれば、可変長符号を４ビットである“０１００”とし、
各物体ブロックの状態が“００１０”であれば、可変長符号を４ビットである“１０００”とし、
各物体ブロックの状態が“０００１”であれば、可変長符号を４ビットである“０１１０”とし、
各物体ブロックの状態が“００００”であれば、可変長符号を２ビットである“１１”とすることを特徴とする請求項１０記載の映像情報符号化装置。
【請求項１５】
前記可変長符号化テーブル貯蔵部の可変長符号化テーブルは、３種の輝度ブロックに対し記述し、（Ｎ×Ｎ）大きさの境界ブロックを（Ｎ／２×Ｎ／２）のサブブロックにて構成して、境界ブロック合併技術を遂行した結果、対象物映像を含む物体ブロックが３個であり、
前記輝度ブロックがイントラブロックであれば、前記物体ブロック各々を第１物体ブロック、第２物体ブロック、第３物体ブロックとした後、前記各物体ブロックにおいてＤＣ成分以外の情報がある場合を“１”、ＤＣ成分以外の情報がない場合を“０”にて示し、その配列を左側より右側順序に第１物体ブロック乃至第３物体ブロックを順次配列して３ビットにて示す場合、
各物体ブロックの状態が“０００”であれば、可変長符号を３ビットである“１００”とし、
各物体ブロックの状態が“００１”であれば、可変長符号を５ビットである“１１１１１”とし、
各物体ブロックの状態が“０１０”であれば、可変長符号を５ビットである“１１１１０”とし、
各物体ブロックの状態が“０１１”であれば、可変長符号を３ビットである“１０１”とし、
各物体ブロックの状態が“１００”であれば、可変長符号を５ビットである“１１１０１”とし、
各物体ブロックの状態が“１０１”であれば、可変長符号を５ビットである“１１１００”とし、
各物体ブロックの状態が“１１０”であれば、可変長符号を３ビットである“１１０”とし、
各物体ブロックの状態が“１１１”であれば、可変長符号を１ビットである“０”とし、
前記輝度ブロックがインターブロックまたはストライプブロックであれば、前記物体ブロック各々を第１物体ブロック、第２物体ブロック、第３物体ブロックとした後、前記各物体ブロックにおいてＤＣ成分以外の情報がある場合を“１”、ＤＣ成分以外の情報がない場合を“０”にて示し、その配列を左側より右側順序に第１物体ブロック乃至第３物体ブロックを順次配列して３ビットにて示す場合、
各物体ブロックの状態が“１１１”であれば、可変長符号を３ビットである“１００”とし、
各物体ブロックの状態が“１１０”であれば、可変長符号を５ビットである“１１１１１”とし、
各物体ブロックの状態が“１０１”であれば、可変長符号を５ビットである“１１１１０”とし、
各物体ブロックの状態が“１００”であれば、可変長符号を３ビットである“１０１”とし、
各物体ブロックの状態が“０１１”であれば、可変長符号を５ビットである“１１１０１”とし、
各物体ブロックの状態が“０１０”であれば、可変長符号を５ビットである“１１１００”とし、
各物体ブロックの状態が“００１”であれば、可変長符号を３ビットである“１１０”とし、
各物体ブロックの状態が“０００”であれば、可変長符号を１ビットである“０”とすることを特徴とする請求項１０記載の映像情報符号化装置。
【請求項１６】
前記可変長符号化テーブル貯蔵部の可変長符号化テーブルは、３種の輝度ブロックに対し記述し、（Ｎ×Ｎ）大きさの境界ブロックを（Ｎ／２×Ｎ／２）のザブブロックにて構成して、境界ブロック合併技術を遂行した結果、対象物映像を含む物体ブロックが２個であり、
前記輝度ブロックがイントラブロックであれば、前記物体ブロック各々を第１物体ブロック、第２物体ブロックとした後、前記各物体ブロックにおいてＤＣ成分以外の情報がある場合を“１”、ＤＣ成分以外の情報がない場合を“０”にて示し、その配列を左側より右側順序に第１物体ブロック乃至第２物体ブロックを順次配列して２ビットにて示す場合、
各物体ブロックの状態が“００”であれば、可変長符号を３ビットである“１１１”とし、
各物体ブロックの状態が“０１”であれば、可変長符号を３ビットである“１１０”とし、
各物体ブロックの状態が“１０”であれば、可変長符号を２ビットである“１０”とし、
各物体ブロックの状態が“１１”であれば、可変長符号を１ビットである“０”とし、
前記輝度ブロックがインターブロックまたはストライプブロックであれば、前記物体ブロック各々を第１物体ブロック、第２物体ブロックとした後、前記各物体ブロックにおいてＤＣ成分以外の情報がある場合を“１”、ＤＣ成分以外の情報がない場合を“０”にて示し、その配列を左側より右側順序に第１物体ブロックと第２物体ブロックを順次配列して２ビットにて示す場合、
各物体ブロックの状態が“１１”であれば、可変長符号を３ビットである“１１１”とし、
各物体ブロックの状態が“１０”であれば、可変長符号を３ビットである“１１０”とし、
各物体ブロックの状態が“０１”であれば、可変長符号を２ビットである“１０”とし、
各物体ブロックの状態が“００”であれば、可変長符号を１ビットである“０”とすることを特徴とする請求項１０記載の映像情報符号化装置。
【請求項１７】
前記可変長符号化テーブル貯蔵部の可変長符号化テーブルは、３種の輝度ブロックに対し記述し、（Ｎ×Ｎ）大きさの境界ブロックを（Ｎ／２×Ｎ／２）のサブブロックにて構成して境界ブロック合併技術を遂行した結果、対象物映像を含む物体ブロックが１個であり、
前記輝度ブロックがイントラブロックであり、ＤＣ成分以外の情報がある場合を“１”、ＤＣ成分以外の情報がない場合を“０”にて示す場合、
物体ブロックの状態が“０”であれば、可変長符号を１ビットである“１”とし、
物体ブロックの状態が“１”であれば、可変長符号を１ビットである“０”とし、
前記輝度ブロックがインターブロックまたはストライプブロックであり、ＤＣ成分以外の情報がある場合を“１”、ＤＣ成分以外の情報がない場合を“０”にて示し、
物体ブロックの状態が“０”であれば、可変長符号を１ビットである“１”とし、
物体ブロックの状態が“１”であれば、可変長符号を１ビットである“０”とすることを特徴とする請求項１０記載の映像情報符号化装置。
【請求項１８】
映像入力装置を通じて入力される映像を、任意の形状情報を有する対象物映像と背景映像に分離して符号化する映像情報符号化装置において、
入力される形状情報中対象物映像と背景映像との境界を含む境界ブロックを境界ブロック合併技術によって合併して、合併された境界ブロックに対する映像信号と合併情報を出力する境界ブロック合併部と、
前記境界ブロック合併部からの合併された境界ブロックに対する映像信号の入力を受け、離散余弦変換を遂行する離散余弦変換部と、
前記離散余弦変換部において出力される変換係数の入力を受け量子化して出力する量子化部と、
前記量子化部から入力される量子化された変換係数を可変長符号化し、前記境界ブロック合併部から入力される合併情報を利用してテックスチャ情報を符号化して出力する変換係数および符号化パターン符号化部と
を含んで構成されることを特徴とする映像情報符号化装置。
【請求項１９】
映像入力装置を通じて入力される映像を、任意の形状情報を有する対象物映像と背景映像に分離して復号化する映像情報復号化装置において、
境界ブロック合併技術によって合併された後、可変長符号化方法によって符号化された映像信号の入力を受け可変長復号化する可変長復号化部と、
前記可変長復号化部において符号化された映像信号を可変長復号化する際に適用する符号化テーブルを貯蔵する可変長復号化テーブル貯蔵部と、
前記可変長復号化部において出力される復号化された映像信号の入力を受け、境界ブロック合併技術によって合併された境界ブロック、または境界ブロックを成すサブブロックを合併前の境界ブロック、またはサブブロックに分離する境界ブロック分離部を含んで構成されることを特徴とする映像情報復号化装置。
【請求項２０】
前記可変長復号化部は、境界ブロックを成す多数個のサブブロック中、対象物映像を含む物体ブロックの数に従って各々異なる可変長復号化テーブルを適用して復号化することを特徴とする請求項１９記載の映像情報復号化装置。
【請求項２１】
前記可変長復号化テーブル貯蔵部の可変長復号化テーブルは、境界ブロックを成す多数個のサブブロック中、対象物映像を含む物体ブロックの配列特性に従って構成することを特徴とする請求項１９記載の映像情報復号化装置。
【請求項２２】
前記物体ブロックの配列特性に伴う可変長復号化テーブルは、最も少ない数の符号化ビットが最も多い発生頻度を有する配列特性を表すようにして、符号化ビット数が多くなるほど発生頻度が漸次減少する配列特性を表すように構成することを特徴とする請求項２１記載の映像情報復号化装置。
【請求項２３】
映像入力装置を通じて入力される映像を、任意の形状情報を有する対象物映像と背景映像に分離して復号化する映像情報復号化装置において、
境界ブロック合併技術によって合併された後、可変長符号化方法によって符号化された映像信号の入力を受け、可変長復号化する可変長復号化部と、
前記可変長復号化部において符号化された映像信号を可変長復号化する際に適用する符号化テーブルを貯蔵する可変長復号化テーブル貯蔵部と、
前記可変長復号化部において出力される復号化された映像信号の入力を受け、逆量子化して出力する逆量子化部と、
前記逆量子化部において出力される逆量子化された信号の入力を受け、逆離散余弦変換を遂行する逆離散余弦変換部と、
前記逆離散余弦変換部において出力される逆離散余弦変換された映像信号の入力を受け、境界ブロック合併技術によって合併された境界ブロック、または境界ブロックを成すサブブロックを合併前の境界ブロック、またはサブブロックに分離する境界ブロック分離部を含んで構成されることを特徴とする映像情報復号化装置。
【請求項２４】
前記可変長復号化部は、境界ブロックを成す多数個のサブブロック中、対象物映像を含む物体ブロックの数に従って各々異なる可変長復号化テーブルを適用して復号化することを特徴とする請求項２３記載の映像情報復号化装置。
【請求項２５】
前記可変長復号化テーブル貯蔵部の可変長復号化テーブルは、境界ブロックを成す多数個のサブブロック中、対象物映像を含む物体ブロックの配列特性に従って構成することを特徴とする請求項２３記載の映像情報復号化装置。
【請求項２６】
前記物体ブロックの配列特性に伴う可変長復号化テーブルは、最も少ない数の符号化ビットが最も多い発生頻度を有する配列特性を表すようにして、符号化ビット数が多くなるほど発生頻度が漸次減少する配列特性を表すように構成することを特徴とする請求項２５記載の映像情報復号化装置。
【請求項２７】
前記可変長復号化テーブル貯蔵部の可変長復号化テーブルは、３種の輝度ブロックに対し記述し、符号化された物体ブロックの個数が４個であり、
前記輝度ブロックがイントラブロックであり、復号化された信号のビットが表すところを左側ビットより右側ビット順にて各々第１物体ブロック、第２物体ブロック、第３物体ブロック、第４物体ブロックと成し、復号化された信号のビットが“１”である場合には、各物体ブロックにＤＣ成分以外の情報があるものとし、復号化された信号のビットが“０”である場合には、各物体ブロックにＤＣ成分以外の情報が無いものとする場合、
入力される符号化ビットが“００１１”であれば、“００００”に復号化し、
入力される符号化ビットが“００１０１”であれば、“０００１”に復号化し、
入力される符号化ビットが“００１００”であれば、“００１０”に復号化し、
入力される符号化ビットが“１００１”であれば、“００１１”に復号化し、
入力される符号化ビットが“０００１１”であれば、“０１００”に復号化し、
入力される符号化ビットが“０１１１”であれば、“０１０１”に復号化し、
入力される符号化ビットが“００００１０”であれば、“０１１０”に復号化し、
入力される符号化ビットが“１０１１”であれば、“０１１１”に復号化し、
入力される符号化ビットが“０００１０”であれば、“１０００”に復号化し、
入力される符号化ビットが“００００１１”であれば、“１００１”に復号化し、
入力される符号化ビットが“０１０１”であれば、“１０１０”に復号化し、
入力される符号化ビットが“１０１０”であれば、“１０１１”に復号化し、
入力される符号化ビットが“０１００”であれば、“１１００”に復号化し、
入力される符号化ビットが“１０００”であれば、“１１０１”に復号化し、
入力される符号化ビットが“０１１０”であれば、“１１１０”に復号化し、
入力される符号化ビットが“１１”であれば、“１１１１”に復号化し、
前記輝度ブロックがインターブロックまたはストライプブロックであり、復号化された信号のビットが示すところを左側ビットから右側ビットの順に、各々を第１物体ブロック、第２物体ブロック、第３物体ブロック、第４物体ブロックとし、復号化された信号のビットが“１”である場合には、各物体ブロックにＤＣ成分以外の情報があるものとし、復号化された信号のビットが“０”である場合には、各物体ブッロクにＤＣ成分以外の情報がないものとする場合、
入力される符号化ビットが“００１１”であれば、“１１１１”に復号化し、
入力される符号化ビットが“００１０１”であれば、“１１１０”に復号化し、
入力される符号化ビットが“００１００”であれば、“１１０１”に復号化し、
入力される符号化ビットが“１００１”であれば、“１１００”に復号化し、
入力される符号化ビットが“０００１１”であれば、“１０１１”に復号化し、
入力される符号化ビットが“０１１１”であれば、“１０１０”に復号化し、
入力される符号化ビットが“００００１０”であれば、“１００１”に復号化し、
入力される符号化ビットが“１０１１”であれば、“１０００”に復号化し、
入力される符号化ビットが“０００１０”であれば、“０１１１”に復号化し、
入力される符号化ビットが“００００１１”であれば、“０１１０”に復号化し、
入力される符号化ビットが“０１０１”であれば、“０１０１”に復号化し、
入力される符号化ビットが“１０１０”であれば、“０１００”に復号化し、
入力される符号化ビットが“０１００”であれば、“００１１”に復号化し、
入力される符号化ビットが“１０００”であれば、“００１０”に復号化し、
入力される符号化ビットが“０１１０”であれば、“０００１”に復号化し、
入力される符号化ビットが“１１”であれば、“００００”に復号化することを特徴とする請求項２３記載の映像情報復号化装置。
【請求項２８】
可変長復号化テーブル貯蔵部の可変長復号化テーブルは、３種の輝度ブロックに対して記述し、符号化された物体ブロックの個数が３個であり、前記輝度ブロックがイントラブロックであり、復号化された信号のビットが表すところを左側ビットより右側ビットの順に、各々を第１物体ブロック、第２物体ブロック、第３物体ブロックとし、復号化された信号のビットが“１”である場合には、各物体ブロックにＤＣ成分以外の情報があるものとし、復号化された信号のビットが“０”である場合には、各物体ブッロクにＤＣ成分以外の情報がないものとする場合、
入力される符号化ビットが“１００”であれば、“０００”に復号化し、
入力される符号化ビットが“１１１１１”であれば、“００１”に復号化し、
入力される符号化ビットが“１１１１０”であれば、“０１０”に復号化し、
入力される符号化ビットが“１０１”であれば、“０１１”に復号化し、
入力される符号化ビットが“１１１０１”であれば、“１００”に復号化し、
入力される符号化ビットが“１１１００”であれば、“１０１”に復号化し、
入力される符号化ビットが“１１０”であれば、“１１０”に復号化し、
入力される符号化ビットが“０”であれば、“１１１”に復号化し、
前記輝度ブロックがインターブロックまたはストライプブロックであり、復号化された信号のビットが表すところを左側ビットから右側ビットの順に、各々を第１物体ブロック、第２物体ブロック、第３物体ブロックとし、復号化された信号のビットが“１”である場合には、各物体ブロックにＤＣ成分以外の情報があるものとし、復号化された信号のビットが“０”である場合には、各物体ブッロクにＤＣ成分以外の情報がないものとする場合、
入力される符号化ビットが“１００”であれば、“１１１”に復号化し、
入力される符号化ビットが“１１１１１”であれば、“１１０”に復号化し、
入力される符号化ビットが“１１１１０”であれば、“１０１”に復号化し、
入力される符号化ビットが“１０１”であれば、“１００”に復号化し、
入力される符号化ビットが“１１１０１”であれば、“０１１”に復号化し、
入力される符号化ビットが“１１１００”であれば、“０１０”に復号化し、
入力される符号化ビットが“１１０”であれば、“００１”に復号化し、
入力される符号化ビットが“０”であれば、“０００”に復号化することを特徴とする請求項２３記載の映像情報復号化装置。
【請求項２９】
可変長復号化テーブル貯蔵部の可変長復号化テーブルは、３種の輝度ブロックに対して記述し、符号化された物体ブロックの個数が２個であり、
前記輝度ブロックがイントラブロックであり、復号化された信号のビットが表すところを左側ビットより右側ビット順にて各々第１物体ブロック、第２物体ブロックとし、復号化された信号のビットが“１”である場合には、各物体ブロックにＤＣ成分以外の情報があるものとし、復号化された信号のビットが“０”である場合には、各物体ブロックにＤＣ成分以外の情報が無いものとする場合、
入力される符号化ビットが“１１１”であれば、“００”に復号化し、
入力される符号化ビットが“１１０”であれば、“０１”に復号化し、
入力される符号化ビットが“１０”であれば、“１０”に復号化し、
入力される符号化ビットが“０”であれば、“１１”に復号化し、
前記輝度ブロックがインターブロックまたはストライプブロックであり、復号化された信号のビットが表すところを左側ビットより右側ビット順にて各々第１物体ブロック、第２物体ブロックとし、復号化された信号のビットが“１”である場合には、各物体ブロックにＤＣ成分以外の情報があるものとし、復号化された信号のビットが“０”である場合には、各物体ブロックにＤＣ成分以外の情報が無いものとする場合、
入力される符号化ビットが“１１１”であれば、“１１”に復号化し、
入力される符号化ビットが“１１０”であれば、“１０”に復号化し、
入力される符号化ビットが“１０”であれば“０１”に復号化し、
入力される符号化ビットが“０”であれば、“００”に復号化することを特徴とする請求項２３記載の映像情報復号化装置。
【請求項３０】
前記可変長復号化テーブル貯蔵部の可変長復号化テーブルは、３種の輝度ブロックに対して記述し、符号化された物体ブロックの個数が１個であり、
前記輝度ブロックがイントラブロックであり、復号化された信号のビットが“１”である場合には、各物体ブロックにＤＣ成分以外の情報があるものとし、復号化された信号のビットが“０”である場合には、各物体ブロックにＤＣ成分以外の情報が無いものとする場合、
入力される符号化ビットが“１”であれば、“０”に復号化し、
入力される符号化ビットが“０”であれば、“１”に復号化し、
前記輝度ブロックがインターブロックまたはストライプブロックであり、復号化された信号のビットが“１”である場合には、各物体ブロックにＤＣ成分以外の情報があるものとし、復号化された信号のビットが“０”である場合には、各物体ブロックにＤＣ成分以外の情報がないものとする場合、
入力される符号化ビットが“１”であれば、“１”に復号化し、
入力される符号化ビットが“０”であれば、“０”に復号化することを特徴とする請求項２３記載の映像情報復号化装置。
【請求項３１】
映像入力装置を通じて入力される映像を任意の形状情報を有する、対象物映像と背景映像に分離して復号化する映像情報復号化装置において、
境界ブロック合併技術によって合併され符号化された対象物映像の形状情報の入力を受け合併情報を抽出する合併情報抽出部と、
前記合併情報抽出部において出力される合併情報と、符号化装置において出力される符号化された映像信号の入力を受け、可変長復号化して変換係数と符号化パターンを復号化する変換係数および符号化パターン復号化部と、
前記変換係数および復号化パターン復号化部において出力される復号化された映像信号の入力を受け逆量子化して出力する逆量子化部と、
前記逆量子化部において出力される逆量子化された信号の入力を受け、逆離散余弦変換を遂行する逆離散余弦変換部と、
前記逆離散余弦変換部において出力される逆離散余弦変換された映像信号と、前記合併情報抽出部において出力される合併情報の入力を受け、境界ブロック合併技術によって合併された境界ブロック、または境界ブロックを成すサブブロックを合併前の境界ブロック、またはサブブロックに分離する境界ブロック分離部と
を含んで構成されることを特徴とする映像情報復号化装置。
【請求項３２】
映像入力装置を通じて入力される映像を、任意の形状情報を有する対象物映像と背景映像に分離して符号化する映像情報符号化方法において、
入力される形状情報中対象物映像と背景映像との境界を含む境界ブロックを境界ブロック合併技術によって合併した後、前記合併された結果に基づいて可変長符号化することを特徴とする映像情報符号化方法。
【請求項３３】
前記境界ブロック合併方法は、多数個の境界ブロックを合併することを特徴とする請求項３２記載の映像情報符号化方法。
【請求項３４】
前記境界ブロック合併方法は、境界ブロックを成す多数個のサブブロックを合併することを特徴とする請求項３２記載の映像情報符号化方法。
【請求項３５】
前記境界ブロック合併方法は、輝度ブロックを合併することを特徴とする請求項３２記載の映像情報符号化方法。
【請求項３６】
前記境界ブロック合併方法は、色彩ブロックを合併することを特徴とする請求項３２記載の映像情報符号化方法。
【請求項３７】
前記境界ブロック合併方法は、輝度ブロックを輝度ブロック同士で合併し、色彩ブロックを色彩ブロック同士で合併することを特徴とする請求項３２記載の映像情報符号化方法。
【請求項３８】
前記可変長符号化方法は、境界ブロックを成す多数個のサブブロック中、対象物映像を含む物体ブロックの数に従って各々異なる可変長符号化テーブルを適用して符号化することを特徴とする請求項３２記載の映像情報符号化方法。
【請求項３９】
前記可変長符号化方法は、境界ブロックを成す多数個のサブブロック中、対象物映像を含む物体ブロックの数に従って符号化ビット数が各々異なる可変長符号化テーブルを適用して符号化することを特徴とする請求項３２記載の映像情報符号化方法。
【請求項４０】
前記可変長符号化方法は、発生頻度が最も多い配列特性より、発生頻度が最も少ない配列特性順にて、最も少ない数のビットより漸次多い数のビットを割り当てられるように可変長符号化テーブルを構成することを特徴とする請求項３２記載の映像情報符号化方法。
【請求項４１】
前記可変長符号化テーブルは、３種の輝度ブロックに対して記述し、（Ｎ×Ｎ）大きさの境界ブロックを（Ｎ／２×Ｎ／２）のサブブロックにて構成して、境界ブロック合併技術を遂行した結果、対象物映像を含む物体ブロックが４個であり、
前記輝度ブロックがイントラブロックであれば、前記物体ブロック各々を第１物体ブロック、第２物体ブロック、第３物体ブロック、第４物体ブロックとした後、前記各物体ブロックにおいてＤＣ成分以外の情報がある場合を“１”、ＤＣ成分以外の情報がない場合を“０”にて示し、その配列を左側より右側順序に第１物体ブロック乃至第４物体ブロックを順次配列して４ビットにて表す場合、
各物体ブロックの状態が“００００”であれば、可変長符号を“００１１”にし、
各物体ブロックの状態が“０００１”であれば、可変長符号を“００１０１”にし、
各物体ブロックの状態が“００１０”であれば、可変長符号を“００１００”にし、
各物体ブロックの状態が“００１１”であれば、可変長符号を“１００１”にし、
各物体ブロックの状態が“０１００”であれば、可変長符号を“０００１１”にし、
各物体ブロックの状態が“０１０１”であれば、可変長符号を“０１１１”にし、
各物体ブロックの状態が“０１１０”であれば、可変長符号を“００００１０”にし、
各物体ブロックの状態が“０１１１”であれば、可変長符号を“１０１１”にし、
各物体ブロックの状態が“１０００”であれば、可変長符号を“０００１０”にし、
各物体ブロックの状態が“１００１”であれば、可変長符号を“００００１１”にし、
各物体ブロックの状態が“１０１０”であれば、可変長符号を“０１０１”にし、
各物体ブロックの状態が“１０１１”であれば、可変長符号を“１０１０”にし、
各物体ブロックの状態が“１１００”であれば、可変長符号を“０１００”にし、
各物体ブロックの状態が“１１０１”であれば、可変長符号を“１０００”にし、
各物体ブロックの状態が“１１１０”であれば、可変長符号を“０１１０”にし、
各物体ブロックの状態が“１１１１”であれば、可変長符号を“１１”にし、
前記輝度ブロックがインターブロックまたはストライプブロックであれば、前記物体ブロック各々を第１物体ブロック、第２物体ブロック、第３物体ブロック、第４物体ブロックとした後、前記各物体ブロックにおいてＤＣ成分以外の情報がある場合を“１”、ＤＣ成分以外の情報がない場合を“０”にて示し、その配列を左側より右側順序に第１物体ブロック乃至第４物体ブロックを順次配列して４ビットにて示す場合、
各物体ブロックの状態が“１１１１”であれば、可変長符号を“００１１”にし、
各物体ブロックの状態が“１１１０”であれば、可変長符号を“００１０１”にし、
各物体ブロックの状態が“１１０１”であれば、可変長符号を“００１００”にし、
各物体ブロックの状態が“１１００”であれば、可変長符号を“１００１”にし、
各物体ブロックの状態が“１０１１”であれば、可変長符号を“０００１１”にし、
各物体ブロックの状態が“１０１０”であれば、可変長符号を“０１１１”にし、
各物体ブロックの状態が“１００１”であれば、可変長符号を“００００１０”にし、
各物体ブロックの状態が“１０００”であれば、可変長符号を“１０１１”にし、
各物体ブロックの状態が“０１１１”であれば、可変長符号を“０００１０”にし、
各物体ブロックの状態が“０１１０”であれば、可変長符号を“００００１１”にし、
各物体ブロックの状態が“０１０１”であれば、可変長符号を“０１０１”にし、
各物体ブロックの状態が“０１００”であれば、可変長符号を“１０１０”にし、
各物体ブロックの状態が“００１１”であれば、可変長符号を“０１００”にし、
各物体ブロックの状態が“００１０”であれば、可変長符号を“１０００”にし、
各物体ブロックの状態が“０００１”であれば、可変長符号を“０１１０”にし、
各物体ブロックの状態が“００００”であれば、可変長符号を“１１”にすることを特徴とする請求項４０記載の映像情報符号化方法。
【請求項４２】
前記可変長符号化テーブルは、３種の輝度ブロックに対して記述し、（Ｎ×Ｎ）大きさの境界ブロックを（Ｎ／２×Ｎ／２）のサブブロックにて構成して、境界ブロック合併技術を遂行した結果、対象物映像を含む物体ブロックが３個であり、
前記輝度ブロックがイントラブロックであれば、前記物体ブロック各々を第１物体ブロック、第２物体ブロック、第３物体ブロックとした後、前記各物体ブロックにおいてＤＣ成分以外の情報がある場合を“１”、ＤＣ成分以外の情報がない場合を“０”にて示し、その配列を左側より右側順序に第１物体ブロック乃至第３物体ブロックを順次配列して３ビットにて表す場合、
各物体ブロックの状態が“０００”であれば、可変長符号を“１００”にし、
各物体ブロックの状態が“００１”であれば、可変長符号を“１１１１１”にし、
各物体ブロックの状態が“０１０”であれば、可変長符号を“１１１１０”にし、
各物体ブロックの状態が“０１１”であれば、可変長符号を“１０１”にし、
各物体ブロックの状態が“１００”であれば、可変長符号を“１１１０１”にし、
各物体ブロックの状態が“１０１”であれば、可変長符号を“１１１００”にし、
各物体ブロックの状態が“１１０”であれば、可変長符号を“１１０”にし、
各物体ブロックの状態が“１１１”であれば、可変長符号を“０”にし、
前記輝度ブロックがインターブロックまたはストライプブロックであれば、前記物体ブロック各々を第１物体ブロック、第２物体ブロック、第３物体ブロックとした後、前記各物体ブロックにおいてＤＣ成分以外の情報がある場合を“１”、ＤＣ成分以外の情報がない場合を“０”にて示し、その配列を左側より右側順序に第１物体ブロック乃至第３物体ブロックを順次配列して３ビットにて示す場合、
各物体ブロックの状態が“１１１”であれば、可変長符号を“１００”にし、
各物体ブロックの状態が“１１０”であれば、可変長符号を“１１１１１”にし、
各物体ブロックの状態が“１０１”であれば、可変長符号を“１１１１０”にし、
各物体ブロックの状態が“１００”であれば、可変長符号を“１０１”にし、
各物体ブロックの状態が“０１１”であれば、可変長符号を“１１１０１”にし、
各物体ブロックの状態が“０１０”であれば、可変長符号を“１１１００”にし、
各物体ブロックの状態が“００１”であれば、可変長符号を“１１０”にし、
各物体ブロックの状態が“０００”であれば、可変長符号を“０”にすることを特徴とする請求項４０記載の映像情報符号化方法。
【請求項４３】
（訂正）前記可変長符号化テーブルは、３種の輝度ブロックに対して記述し、（Ｎ×Ｎ）大きさの境界ブロックを（Ｎ／２×Ｎ／２）のサブブロックにて構成して、境界ブロック合併技術を遂行した結果、対象物映像を含む物体ブロックが２個であり、
前記輝度ブロックがイントラブロックであれば、前記物体ブロック各々を第１物体ブロック、第２物体ブロックとした後、前記各物体ブロックにおいてＤＣ成分以外の情報がある場合を“１”、ＤＣ成分以外の情報がない場合を“０”にて示し、その配列を左側より右側順序に第１物体ブロックと第２物体ブロックを順次配列して２ビットにて表す場合、
各物体ブロックの状態が“００”であれば、可変長符号を“１１１”にし、
各物体ブロックの状態が“０１”であれば、可変長符号を“１１０”にし、
各物体ブロックの状態が“１０”であれば、可変長符号を“１０”にし、
各物体ブロックの状態が“１１”であれば、可変長符号を“０”にし、
前記輝度ブロックがインターブロックまたはストライプブロックであれば、前記物体ブロック各々を第１物体ブロック、第２物体ブロックとした後、前記各物体ブロックにおいてＤＣ成分以外の情報がある場合を“１”、ＤＣ成分以外の情報がない場合を“０”にて示し、その配列を左側より右側順序に第１物体ブロック第２物体ブロックを順次配列して２ビットにて表す場合、
各物体ブロックの状態が“１１”であれば、可変長符号を“１１１”にし、
各物体ブロックの状態が“１０”であれば、可変長符号を“１１０”にし、
各物体ブロックの状態が“０１”であれば、可変長符号を“１０”にし、
各物体ブロックの状態が“００”であれば、可変長符号を“０”にすることを特徴とする請求項４０記載の映像情報符号化方法。
【請求項４４】
前記可変長符号化テーブルは、３種の輝度ブロックに対して記述し、（Ｎ×Ｎ）大きさの境界ブロックを（Ｎ／２×Ｎ／２）のサブブロックにて構成して、境界ブロック合併技術を遂行した結果、対象物映像を含む物体ブロックが１個であり、
前記輝度ブロックがイントラブロックであれば、ＤＣ成分以外の情報がある場合を“１”、ＤＣ成分以外の情報がない場合を“０”にて表す場合、
各物体ブロックの状態が“０”であれば、可変長符号を“１”にし、
各物体ブロックの状態が“１”であれば、可変長符号を“０”にし、
前記輝度ブロックがインターブロックまたはストライプブロックであり、ＤＣ成分以外の情報がある場合を“１”、ＤＣ成分以外の情報がない場合を“０”にて表す場合、
各物体ブロックの状態が“０”であれば、可変長符号を“１”にし、
各物体ブロックの状態が“１”であれば、可変長符号を“０”にすることを特徴とする請求項４０記載の映像情報符号化方法。
【請求項４５】
映像入力装置を通じて入力される映像を、任意の形状情報を有する対象物映像と背景映像に分離して復号化する映像情報復号化方法において、
境界ブロック合併技術によって合併された後、可変長符号化方法によって符号化された映像信号を可変長復号化した後、境界ブロック合併技術によって合併された境界ブロック、または境界ブロックを成すサブブロックを合併前の境界ブロック、またサブブロックに分離することを特徴とする映像情報復号化方法。
【請求項４６】
前記可変長復号化方法は、境界ブロックを成す多数個のサブブロック中、対象物映像を含む物体ブロックの数に従って符号化ビット数が各々異なる可変長符号化テーブルを構成して適用することを特徴とする請求項４５記載の映像情報復号化方法。
【請求項４７】
前記可変長復号化方法は、境界ブロックを成す多数個のサブブロック中、対象物映像を含む物体ブロックの配列特性より、各々異なる可変長符号化テーブルを構成して適用することを特徴とする請求項４５記載の映像情報復号化方法。
【請求項４８】
前記可変長復号化方法は、最も少ない数の符号化ビットが最も多い発生頻度を有する配列特性を表すようにして、符号化ビット数が多くなるほど発生頻度が漸次減少する配列特性を表すように各々異なる可変長符号化テーブルを構成して適用する構成することを特徴とする請求項４５記載の映像情報復号化方法。
【請求項４９】
前記可変長符号化テーブルは、３種の輝度ブロックに対して記述し、符号化された物体ブロックの個数が４個であり、
前記輝度ブロックがイントラブロックであり、符号化された信号のビットが表すところを左側ビットから右側ビットの順に各々第１物体ブロック、第２物体ブロック、第３物体ブロック、第４物体ブロックとし、復号化された信号のビットが“１”である場合には、各物体ブロックにＤＣ成分以外の情報があるものとし、復号化された信号のビットが“０”である場合には、各物体ブロックにＤＣ成分以外の情報がないものとする場合、
入力される符号化ビットが“００１１”であれば、“００００”に復号化し、
入力される符号化ビットが“００１０１”であれば、“０００１”に復号化し、
入力される符号化ビットが“００１００”であれば、“００１０”に復号化し、
入力される符号化ビットが“１００１”であれば、“００１１”に復号化し、
入力される符号化ビットが“０００１１”であれば、“０１００”に復号化し、
入力される符号化ビットが“０１１１”であれば、“０１０１”に復号化し、
入力される符号化ビットが“００００１０”であれば、“０１１０”に復号化し、
入力される符号化ビットが“１０１１”であれば、“０１１１”に復号化し、
入力される符号化ビットが“０００１０”であれば、“１０００”に復号化し、
入力される符号化ビットが“００００１１”であれば、“１００１”に復号化し、
入力される符号化ビットが“０１０１”であれば、“１０１０”に復号化し、
入力される符号化ビットが“１０１０”であれば、“１０１１”に復号化し、
入力される符号化ビットが“０１００”であれば、“１１００”に復号化し、
入力される符号化ビットが“１０００”であれば、“１１０１”に復号化し、
入力される符号化ビットが“０１１０”であれば、“１１１０”に復号化し、
入力される符号化ビットが“１１”であれば、“１１１１”に復号化し、
前記輝度ブロックがインターブロックまたはストライプブロックであり、復号化された信号のビットが表すところを左側ビットから右側ビットの順に各々第１物体ブロック、第２物体ブロック、第３物体ブロック、第４物体ブロックとなし、復号化された信号のビットが“１”である場合には各物体ブロックにＤＣ成分以外の情報があるものとなし、復号化された信号のビットが“０”である場合には、各物体ブロックにＤＣ成分以外の情報がないものとなす場合、
入力される符号化ビットが“００１１”であれば、“１１１１”に復号化し、
入力される符与化ビットが“００１０１”であれば、“１１１０”に復号化し、
入力される符号化ビットが“００１００”であれば、“１１０１”に復号化し、
入力される符号化ビットが“１００１”であれば、“１１００”に復号化し、
入力される符号化ビットが“０００１１”であれば、“１０１１”に復号化し、
入力される符号化ビットが“０１１１”であれば、“１０１０”に復号化し、
入力される符号化ビットが“００００１０”であれば、“１００１”に復号化し、
入力される符号化ビットが“１０１１”であれば、“１０００”に復号化し、
入力される符号化ビットが“０００１０”であれば、“０１１１”に復号化し、
入力される符号化ビットが“００００１１”であれば、“０１１０”に復号化し、
入力される符号化ビットが“０１０１”であれば、“０１０１”に復号化し、
入力される符号化ビットが“１０１０”であれば、“０１００”に復号化し、
入力される符号化ビットが“０１００”であれば、“００１１”に復号化し、
入力される符号化ビットが“１０００”であれば、“００１０”に復号化し、
入力される符号化ビットが“０１１０”であれば、“０００１”に復号化し、
入力される符号化ビットが“１１”であれば、“００００”に復号化することを特徴とする請求項４８記載の映像情報符号化方法。
【請求項５０】
前記可変長符号化テーブルは、３種の輝度ブロックに対して記述し、符号化された物体ブロックの個数が３個であり、
前記輝度ブロックがイントラブロックであり、符号化された信号のビットが表すところを左側ビットから右側ビットの順に各々第１物体ブロック、第２物体ブロック、第３物体ブロックとし、復号化された信号のビットが“１”である場合には、各物体ブロックにＤＣ成分以外の情報があるものとし、復号化された信号のビットが“０”である場合には、各物体ブロックにＤＣ成分以外の情報がないものとする場合、
入力される符号化ビットが“１００”であれば、“０００”に復号化し、
入力される符号化ビットが“１１１１１”であれば、“００１”に復号化し、
入力される符号化ビットが“１１１１０”であれば、“０１０”に復号化し、
入力される符号化ビットが“１０１”であれば、“０１１”に復号化し、
入力される符号化ビットが“１１１０１”であれば、“１００”に復号化し、
入力される符号化ビットが“１１１００”であれば、“１０１”に復号化し、
入力される符号化ビットが“１１０”であれば、“１１０”に復号化し、
入力される符号化ビットが“０”であれば、“１１１”に復号化し、
前記輝度ブロックがインターブロックまたはストライプブロックであり、復号化された信号のビットが表すところを左側ビットから右側ビットの順に各々第１物体ブロック、第２物体ブロック、第３物体ブロックとし、復号化された信号のビットが“１”である場合には各物体ブロックにＤＣ成分以外の情報があるものとし、復号化された信号のビットが“０”である場合には、各物体ブロックにＤＣ成分以外の情報がないものとする場合、
入力される符号化ビットが“１００”であれば、“１１１”に復号化し、
入力される符号化ビットが“１１１１１”であれば、“１１０”に復号化し、
入力される符号化ビットが“１１１１０”であれば、“１０１”に復号化し、
入力される符号化ビットが“１０１”であれば、“１００”に復号化し、
入力される符号化ビットが“１１１０１”であれば、“０１１”に復号化し、
入力される符号化ビットが“１１１００”であれば、“０１０”に復号化し、
入力される符号化ビットが“１１０”であれば、“００１”に復号化し、
入力される符号化ビットが“０”であれば、“０００”に復号化することを特徴とする請求項４８記載の映像情報符号化方法。
【請求項５１】
前記可変長符号化テーブルは、３種の輝度ブロックに対して記述し、符号化された物体ブロックの個数が２個であり、
前記輝度ブロックがイントラブロックであり、符号化された信号のビットが表すところを左側ビットより右側ビット順に各々第１物体ブロック、第２物体ブロックとし、復号化された信号のビットが“１”である場合には、各物体ブロックにＤＣ成分以外の情報があるものとし、復号化された信号のビットが“０”である場合には、各物体ブロックにＤＣ成分以外の情報がないものとする場合、
入力される符号化ビットが“１１１”であれば、“００”に復号化し、
入力される符号化ビットが“１１０”であれば、“０１”に復号化し、
入力される符号化ビットが“１０”であれば、“１０”に復号化し、
入力される符号化ビットが“０”であれば、“１１”に復号化し、
前記輝度ブロックがインターブロックまたはストライプブロックであり、復号化された信号のビットが表すところを左側ビットより右側ビット順に各々第１物体ブロック、第２物体ブロックとし、復号化された信号のビットが“１”である場合には各物体ブロックにＤＣ成分以外の情報があるものとし、復号化された信号のビットが“０”である場合には、各物体ブロックにＤＣ成分以外の情報がないものとする場合、
入力される符号化ビットが“１１１”であれば、“１１”に復号化し、
入力される符号化ビットが“１１０”であれば、“１０”に復号化し、
入力される符号化ビットが“１０”であれば、“０１”に復号化し、
入力される符号化ビットが“０”であれば、“００”に復号化することを特徴とする請求項４８記載の映像情報符号化方法。
【請求項５２】
前記可変長符号化テーブルは、３種の輝度ブロックに対して記述し、符号化された物体ブロックの個数が１個であり、
前記輝度ブロックがイントラブロックであり、符号化された信号のビットが“１”である場合には、各物体ブロックにＤＣ成分以外の情報があるものとし、復号化された信号のビットが“０”である場合には、各物体ブロックにＤＣ成分以外の情報がないものとする場合、
入力される符号化ビットが“１”であれば、“０”に復号化し、
入力される符号化ビットが“０”であれば、“１”に復号化し、
前記輝度ブロックがインターブロックまたはストライプブロックであり、復号化された信号のビットが“１”である場合には各物体ブロックにＤＣ成分以外の情報があるものとし、復号化された信号のビットが“０”である場合には、各物体ブロックにＤＣ成分以外の情報がないものとする場合、
入力される符号化ビットが“１”であれば、“１”に復号化し、
入力される符号化ビットが“０”であれば、“０”に復号化することを特徴とする請求項４８記載の映像情報符号化方法。